【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
外面を有し、部分的に液化することができる組成物層を含有する感光要素からレリーフパターンを形成する方法であって、
前記組成物層の一部を液化させるのに十分な温度まで前記外面を加熱するステップと、
所定の方向性を有する現像媒体を前記外面に接触させるステップとを含み、
前記現像媒体を前記外面から取り除くときに、前記現像媒体の前記方向性を、前記現像媒体の剥離強度が高くなるような向きにして、前記接触させるステップを行うことを特徴とする方法。
【請求項２】
前記現像媒体の前記剥離強度は、剥離試験用の測定器のオフラインで測定されることを特徴とする請求項１に記載の方法。
【請求項３】
前記測定器での剥離試験は、
ａ）接着テープを前記現像媒体の一面に接触して置くことによって試験試料を作製するステップと、
ｂ）前記試験試料を第１の向きで前記測定器に装着するステップと、
ｃ）前記接着テープを前記現像媒体から剥離させるステップと、
ｄ）前記テープを前記媒体から分離する力を測定するステップと、
を含むことを特徴とする請求項２に記載の方法。
【請求項４】
前記現像媒体がロール上の連続ウェブである請求項１に記載の方法であって、この方法が、
剥離強度を増加させる前記現像媒体の方向性を決めるステップと、
前記現像媒体を、前記ロールから別のロールへ１回または複数回巻取るステップと、
熱現像装置の前記ロールから前記ウェブを繰り出し、これによって前記ウェブの方向性を剥離強度を高める向きにするステップと、
をさらに含むことを特徴とする請求項１に記載の方法。
【手続補正２】
【補正対象書類名】明細書
【補正対象項目名】００８１
【補正方法】変更
【補正の内容】
【００８１】
これらの結果は、実施例１におけるテープ試験とも整合性があるものであった。したがって、印刷要素に接触する不織布現像媒体の面の強い方向を、熱現像装置における剥離（即ち、不織布からの印刷要素の取り除き）方向に向けることにより、最低許容加熱ロール温度が示すように、ウェブの引裂き性向が低下する。
本発明は、特許請求の範囲に記載の発明を含め、以下の発明を包含する。
（１）  外面を有し、部分的に液化することができる組成物層を含有する感光要素からレリーフパターンを形成する方法であって、
前記組成物層の一部を液化させるのに十分な温度まで前記外面を加熱するステップと、
所定の方向性を有する現像媒体を前記外面に接触させるステップとを含み、
前記現像媒体を前記外面から取り除くときに、前記現像媒体の前記方向性を、前記現像媒体の剥離強度が高くなるような向きにして、前記接触させるステップを行うことを特徴とする方法。
（２）  前記剥離強度は前記現像媒体の割れに打ち勝つのに十分であることを特徴とする（１）に記載の方法。
（３）  前記剥離強度は前記現像媒体の引裂きに打ち勝つのに十分であることを特徴とする（１）に記載の方法。
（４）  前記剥離強度は前記現像媒体の破断に打ち勝つのに十分であることを特徴とする（１）に記載の方法。
（５）  前記外面は少なくとも１つの粘着性部分を有し、前記現像媒体は構成要素部分を含み、前記剥離強度は前記粘着性部分から前記現像媒体を分離するのに十分であり、構成要素部分は前記外面上に残ることがないことを特徴とする（１）に記載の方法。
（６）  前記剥離強度は前記現像媒体の割れ、引裂き、または破断の頻度を低下させるのに十分であることを特徴とする（１）に記載の方法。
（７）  前記剥離強度は前記現像媒体の割れ、引裂き、または破断のひどさの程度を低下させるのに十分であることを特徴とする（１）に記載の方法。
（８）  前記現像媒体は不織布材料であることを特徴とする（１）に記載の方法。
（９）  前記現像媒体はナイロンおよびポリエステルからなる群から選択されることを特徴とする（８）に記載の方法。
（１０）  前記現像媒体は層状構造を含むことを特徴とする（８）に記載の方法。
（１１）  前記現像媒体の前記剥離強度は、剥離試験用の測定器のオフラインで測定されることを特徴とする（１）に記載の方法。
（１２）  前記測定器での剥離試験は、
ａ）接着テープを前記現像媒体の一面に接触して置くことによって試験試料を作製するステップと、
ｂ）前記試験試料を第１の向きで前記測定器に装着するステップと、
ｃ）前記接着テープを前記現像媒体から剥離させるステップと、
ｄ）前記テープを前記媒体から分離する力を測定するステップと、
を含むことを特徴とする（１１）に記載の方法。
（１３）  前記分離する力が前記試験試料の幅１ミリメートル当り少なくとも２．５ニュートンである場合、前記現像媒体は十分な剥離強度を示すことを特徴とする（１２）に記載の方法。
（１４）  前記第１の向きは、前記外面から取り除かれるときの前記現像媒体の前記向きをシミュレートするものであることを特徴とする（１２）に記載の方法。
（１５）  ｅ）ステップａ）からｄ）を、前記第１の向きと異なる向きの試験試料を用いてさらに少なくとも１回繰返すステップと、
ｆ）分離する最大の力を有する前記向きを測定するステップと、
をさらに含むことを特徴とする（１２）に記載の方法。
（１６）  前記第１の向きと異なる前記向きは前記第１の向きから１８０度であることを特徴とする（１５）に記載の方法。
（１７）  前記現像媒体からの前記接着テープの前記剥離は、約１８０度の剥離角度で行われることを特徴とする（１２）に記載の方法。
（１８）  前記接着テープは、ＡＳＴＭ  Ｄ３３３０の手順により、約２０から１００オンス／テープ幅１インチの鋼への接着力を有することを特徴とする（１２）に記載の方法。
（１９）  第１の向きの前記現像媒体の前記剥離強度は、
ａ）前記外面に接触する前記現像媒体の一面に接着テープを接触して置くステップと、
ｂ）前記接着テープを前記現像媒体から分離するステップと、
ｃ）前記接着テープが取り除かれた前記現像媒体について孔もしくは厚みの変化を含む外乱を観察するか、または前記接着テープについて前記現像媒体の一部を観察するステップと、
を含む方法によって手動で測定されることを特徴とする（１）に記載の方法。
（２０）  ｄ）ステップａ）からｃ）を、前記第１の向きと異なる向きでさらに少なくとも１回繰返すステップと、
ｅ）前記現像媒体に対する外乱が最も少ない、または前記接着テープ上の前記現像媒体の構成成分が最も少ない前記向きを決定するステップと、
をさらに含むことを特徴とする（１９）に記載の方法。
（２１）  前記現像媒体は、前記現像媒体に孔または厚み変化が見出されない場合、あるいは前記現像媒体の構成成分が前記テープ上に見出されないかまたはわずかしか見出されない場合に、十分な剥離強度を示すことを特徴とする（１９）に記載の方法。
（２２）  前記接着テープは、ＡＳＴＭ  Ｄ３３３０の手順により、約２０から１００オンス／テープ幅１インチの鋼への粘着力を有することを特徴とする（１９）に記載の方法。
（２３）  前記現像媒体がロール上の連続ウェブである（１）に記載の方法であって、この方法が、
剥離強度を増加させる前記現像媒体の方向性を決めるステップと、
前記現像媒体を、前記ロールから別のロールへ１回または複数回巻取るステップと、
熱現像装置の前記ロールから前記ウェブを繰り出し、これによって前記ウェブの方向性を剥離強度を高める向きにするステップと、
をさらに含むことを特徴とする（１）に記載の方法。
（２４）  前記現像媒体は接着面を有する不織布であり、前記現像媒体を一定の向きにする前記ステップは、前記接着面を前記感光要素に接触して置くステップを含むことを特徴とする（１）に記載の方法。
（２５）  前記現像媒体は第１の接着面と第２の接着面を有する不織布であり、前記第１の接着面または第２の接着面の１つは他の面より接着の程度が高く、前記現像媒体を一定の向きにする前記ステップは、接着の程度が高い前記接着面を前記感光要素に接触して置くステップを含むことを特徴とする（１）に記載の方法。
（２６）  前記接触させるステップは、前記現像媒体によって前記組成物層の液化した材料の少なくとも一部を取り除くことができることを特徴とする（１）に記載の方法。
（２７）  前記接触させるステップは、前記現像媒体によって前記組成物層の液化した材料の少なくとも一部を取り除くのに十分な圧力で、前記感光要素と前記現像媒体を押し付けて接触させるステップを含むことを特徴とする（１）に記載の方法。
（２８）  前記現像媒体を第１の部材で支持するステップと、
前記感光要素を第２の部材で支持するステップと、
をさらに含むことを特徴とする（１）に記載の方法。
（２９）  前記加熱するステップは、
前記現像媒体が前記組成物層に接触する場所に隣接した前記組成物層の前記外面に熱を与える第１の加熱と、
前記現像媒体が前記組成物層の前記外面に接触している間、前記組成物層の前記外面を加熱することができる温度まで、前記第１の部材を加熱する第２の加熱と、
前記組成物層の前記外面を加熱することができる温度まで、前記第２の部材を加熱する第３の加熱と、
第１の加熱と第２の加熱の組み合わせと、
第１の加熱と第３の加熱の組み合わせと、
第２の加熱と第３の加熱の組み合わせと、
第１の加熱、第２の加熱および第３の加熱の組み合わせと、
からなる群から選択されることを特徴とする（２８）に記載の方法。
（３０）  前記加熱するステップの前に、前記感光要素を像様露光するステップをさらに含むことを特徴とする（１）に記載の方法。
（３１）  （３０）に記載の方法に従って作製されたことを特徴とするフレキソ印刷型。